(57)【特許請求の範囲】
【請求項１】
入力操作を受け付ける操作部であって前記入力操作の操作性変更のために支点を中心に回動可能な操作部と、
前記操作部と一体的に回動し、前記操作部の背面に収納する収納位置と前記操作部の背面から露出する引き出し位置との間で変位可能なキーボードと、
前記操作部および前記キーボードが水平状態から傾斜状態へ所定角度回動したときに、前記キーボードが前記収納位置から前記引き出し位置に変位することを規制する規制部と、
を備える画像形成装置。
【請求項２】
前記規制部は、互いに係合可能な切欠部と突起部とから構成され、
前記キーボードは、前記切欠部と前記突起部とが係合した場合、前記収納位置から前記引き出し位置に変位することが規制される一方、前記切欠部と前記突起部とが係合していない場合、前記収納位置から前記引き出し位置に変位可能な
請求項１に記載の画像形成装置。
【請求項３】
排出された用紙を積載可能な胴内排紙部と、
前記胴内排紙部に積載された用紙を取り出す方向に延びた阻止部と、
をさらに備え、
前記操作部および前記キーボードは、前記阻止部の上側に配置される
請求項１または２に記載の画像形成装置。
【請求項４】
載置された原稿を読み取るための画像読取部
をさらに備え、
前記阻止部は、前記画像読取部の側面よりも突出した面である
請求項３に記載の画像形成装置。
【発明の詳細な説明】
【技術分野】
【０００１】
本発明は、回動可能な操作パネルおよび操作パネルの背面から引き出し可能なキーボードを備える画像形成装置に関する。
【背景技術】
【０００２】
近年の画像形成装置には、入力操作を受け付ける操作部が回動可能な構成を有するものがある。この構成では、ユーザの使い勝手に応じて操作部を回動すればよいため、ユーザの操作性を向上させる効果を奏する。
【０００３】
また、当該操作部には、タッチパネルが採用されているものがある。当該タッチパネルには、文字入力のためにキーボードが表示されるようになっている。
【０００４】
しかし、タッチパネルに表示されるキーボードは、操作性があまりよくない。
【０００５】
そこで、操作部の背面にキーボードを備え、当該キーボードを引き出し可能とする構成を有する画像形成装置が提案されている（例えば、特許文献１参照。）。
【先行技術文献】
【特許文献】
【０００６】
【特許文献１】特開２００７−０８１２４８号公報
【発明の概要】
【発明が解決しようとする課題】
【０００７】
しかしながら、特許文献１において開示されている技術は、例えば、操作部およびキーボードを所定角度以上回動させた状態でキーボードを引き出すと、画像形成装置本体にキーボードが接触するため、キーボードが破損する虞があった。
【０００８】
そこで、本発明の目的は、上記課題に鑑み、操作部およびキーボードを所定角度回動させた状態において、キーボードを引き出し不可とすることにより、画像形成装置本体にキーボードが接触してキーボードが破損することを防止できる画像形成装置を提供することにある。
【課題を解決するための手段】
【０００９】
本発明の画像形成装置は、操作部、キーボードおよび規制部を備える。操作部は、入力操作を受け付ける部材であって入力操作の操作性変更のために支点を中心に回動可能な部材である。キーボードは、操作部と一体的に回動し、操作部の背面に収納する収納位置と操作部の背面から露出する引き出し位置との間で変位可能である。規制部は、操作部およびキーボードが所定角度回動したときに、キーボードが収納位置から引き出し位置に変位することを規制する。
【００１０】
この構成では、操作部およびキーボードを所定角度回転させた状態において、キーボードを引き出し不可とすることにより、画像形成装置本体にキーボードが接触してキーボードが破損することを防止できる。
【発明の効果】
【００１１】
本発明における画像形成装置は、操作部およびキーボードを所定角度回動させた状態において、キーボードを引き出し不可とすることにより、画像形成装置本体にキーボードが接触してキーボードが破損することを防止できる。
【図面の簡単な説明】
【００１２】
【図１】本発明の実施形態に係る画像形成装置の一部の斜視図である。
【図２】（Ａ）は、操作部が水平配置された状態における画像形成装置の側面図であり、（Ｂ）は、その正面図である。
【図３】（Ａ）は、操作部が前面側に傾斜配置された状態における画像形成装置の側面図であり、（Ｂ）は、その正面図である。
【図４】操作部が水平配置された状態であってキーボードが引き出し位置に位置している状態における画像形成装置の側面図である。
【図５】（Ａ）は、操作部が水平配置された状態であってキーボードが収納位置に位置している状態における画像形成装置の側面図であり、（Ｂ）は、その部分拡大図である。
【図６】（Ａ）は、操作部が傾斜配置された状態であってキーボードが収納位置に位置している状態における画像形成装置の側面図であり、（Ｂ）は、その部分拡大図である。
【発明を実施するための形態】
【００１３】
以下、本発明の実施形態に係る画像形成装置を、図面を参照しつつ詳細に説明する。
【００１４】
図１は、本発明の実施形態に係る画像形成装置１の一部の斜視図である。図２（Ａ）は、操作パネル１１が水平配置された状態における画像形成装置１の側面図であり、図２（Ｂ）は、その正面図である。図３（Ａ）は、操作パネル１１が前面側に傾斜配置された状態における画像形成装置１の側面図であり、図３（Ｂ）は、その正面図である。図４は、操作パネル１１が水平配置された状態であってキーボード１２が引き出し位置に位置している状態における画像形成装置１の側面図である。
【００１５】
画像形成装置１は、画像読取部３、画像形成部４および給紙部５を備え、いわゆる胴内排紙形状を呈している。
【００１６】
画像読取部３は、画像形成部４の上部に配置されている。画像読取部３は、原稿台３１上に載置された原稿に光を照射し、反射した光に基づいて原稿の画像を読み取って画像データを生成する画像読取処理を行う。なお、図１〜図６では、原稿台３１の上面を閉鎖及び開放自在な蓋部材の記載が省略されている。
【００１７】
給紙部５は、画像形成部４の下部に配置され、複数の給紙カセット５１，５２，５３，５４を有している。給紙カセット５１〜５４のそれぞれには、記録媒体の一例である用紙が収容されている。給紙部５は、用紙を１枚ずつ画像形成部４へ供給する。
【００１８】
画像形成部４は、画像読取部３の下に配置され、用紙に画像形成処理を行う。画像形成部４は、画像形成処理済みの用紙を収容する用紙排紙トレイ４１を設けるための空間４２を画像読取部３の下に残すように、画像形成装置１の幅方向９１における第１端部に設けられた用紙排紙部４３を有する。
【００１９】
画像形成部４は、画像形成処理済みの用紙を、用紙排紙部４３から用紙排紙トレイ４１へ排出する。用紙排紙トレイ４１は、排出された用紙を積載可能である。画像形成部４の幅方向は、画像形成装置１の幅方向９１と同じである。用紙排紙トレイ４１は、本発明の胴内排紙部に相当する。
【００２０】
画像形成部４は、一例として、電子写真方式の画像形成処理を行う。画像形成部４は、画像データに基づいて形成したトナー像を用紙に担持させ、図示しない定着装置においてトナー像を用紙に熱及び圧力によって固着させる。定着装置は、用紙排紙部４３の近傍かつ下方に配置されている。
【００２１】
画像形成部４には、用紙排紙トレイ４１に積載された用紙を取り出す方向に延びた阻止部４４が形成されている。阻止部４４は、画像読取部３の側面よりも突出した面である。阻止部４４は、画像形成装置１の設計上、必然的に形成される部分である。
【００２２】
また、画像形成装置１は、操作パネル１１、キーボード１２ならびに切欠部１４および突起部１５をさらに備える。操作パネル１１は、本発明の操作部に相当する。切欠部１４および突起部１５は、本発明の規制部に相当する。本実施形態では、操作パネル１１およびキーボード１２は、阻止部４４の上側に配置される。
【００２３】
操作パネル１１は、画像形成装置１の前面に配置されている。一例として、操作パネル１１は、画像読取部３の前面に配置されたプレート１３に取り付けられている。また、一例として、操作パネル１１は、幅方向９１において用紙排紙部４３が配置された第１端部の反対側の端部に取り付けられている。
【００２４】
幅方向９１において、操作パネル１１と用紙排紙部４３とは、離間していることが好ましい。この構成では、用紙排紙トレイ４１に積載された用紙を容易に取り出すことができる。
【００２５】
操作パネル１１は、入力操作を受け付け、当該入力操作の操作性変更のためにプレート１３における支点１６を中心に回動可能である。操作パネル１１は、図２（Ａ）及び図２（Ｂ）に示す水平位置と、前面側への所定の最大傾斜位置と、の間で回動自在に構成されている。また、操作パネル１１は、水平位置、最大傾斜位置、並びに水平位置と最大傾斜位置との間の１又は複数の所定位置から選択された図３（Ａ）及び図３（Ｂ）に一例を示す所望の傾斜位置で、傾斜姿勢を保持するように構成されている。
【００２６】
キーボード１２は、操作パネル１１と同様に、画像形成装置１の前面に配置されている。キーボード１２は、操作パネル１１と一体的に回動し、操作パネル１１の背面に収納する収納位置と操作パネル１１の背面から露出する引き出し位置との間で変位可能である。キーボード１２は、所定の力が加わったときに、収納位置から引き出し位置に変位し、また、引き出し位置から収納位置に変位する。
【００２７】
本実施形態では、切欠部１４は、プレート１３に形成されており、突起部１５は、キーボード１２に設けられている。切欠部１４および突起部１５は、操作パネル１１およびキーボード１２が所定角度回動したときに、キーボード１２が収納位置から引き出し位置に変位することを規制する。切欠部１４および突起部１５は、互いに係合可能である。
【００２８】
図５（Ａ）は、操作パネル１１が水平配置された状態であってキーボード１２が収納位置に位置している状態における画像形成装置１の側面図であり、図５（Ｂ）は、その部分拡大図である。図６（Ａ）は、操作パネル１１が傾斜配置された状態であってキーボード１２が収納位置に位置している状態における画像形成装置１の側面図であり、図６（Ｂ）は、その部分拡大図である。
【００２９】
キーボード１２は、切欠部１４と突起部１５とが係合した場合、収納位置から引き出し位置に変位することが規制される一方、切欠部１４と突起部１５とが係合していない場合、収納位置から引き出し位置に変位可能である。
【００３０】
図５（Ａ）に示すように、操作パネル１１が水平配置された状態においては、図５（Ｂ）に示すように、切欠部１４と突起部１５とが係合していないため、キーボード１２は収納位置から引き出し位置に変位することが可能である。一方、図６（Ａ）に示すように、操作パネル１１が傾斜配置された状態（所定角度回動した状態）においては、図６（Ｂ）に示すように、切欠部１４と突起部１５とが係合しているため、キーボード１２は収納位置から引き出し位置に変位することが不可能である。
【００３１】
この構成では、操作パネル１１およびキーボード１２を所定角度回転させた状態において、キーボード１２を引き出し不可とすることにより、画像形成装置本体（阻止部４４）にキーボード１２が接触してキーボード１２が破損することを防止できる。
【００３２】
なお、切欠部１４および突起部１５は、プレート１３およびキーボード１２の一側面のみに設けられていてもよいが、プレート１３およびキーボード１２の両側面に設けられると好ましい。切欠部１４および突起部１５がプレート１３およびキーボード１２の両側面に設けられると、キーボード１２を収納位置から引き出し位置に変位させようとした際にキーボード１２が変位不可であると、ユーザによる力が両側面に分散するからである。
【００３３】
また、本実施形態では、プレート１３に切欠部１４が形成され、キーボード１２に突起部１５が設けられているが、これに限られるものではない。例えば、プレート１３に突起部１５が設けられ、キーボード１２に切欠部１４が形成されていてもよい。
【００３４】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３５】
１−画像形成装置
３−画像読取部
１１−操作パネル
１２−キーボード
１４−切欠部
１５−突起部
１６−支点
４１−用紙排紙トレイ
４４−阻止部
【図１】
0005738666.tif 000002
【図２】
0005738666.tif 000003
【図３】
0005738666.tif 000004
【図４】
0005738666.tif 000005
【図５】
0005738666.tif 000006
【図６】
0005738666.tif 000007